(57)【特許請求の範囲】
【請求項１】
地上波デジタル放送信号から映像信号および音響信号を復調して出力する地上波デジタル放送受信システムであって、
地上波デジタル放送信号から復調された映像信号をバッファリングして逐次出力する映像バッファ手段と、
所定の表示データを記憶した表示データ記憶手段と、
地上波デジタル放送信号の受信チャンネルの電界強度と、前記映像バッファ手段にバッファリングされている映像信号のデータ量と、を検出する主制御手段と、
前記電界強度、および前記データ量が所定のそれぞれの閾値以上の場合、前記映像バッファ手段から出力された映像信号を出力し、前記前記電界強度、および前記データ量の少なくとも一方が所定のそれぞれの閾値未満の場合、前記所定の表示データを出力する表示制御手段と、を有すること
を特徴とする地上波デジタル放送受信システム。
【請求項２】
請求項１に記載の地上波デジタル放送受信システムであって、
前記表示制御手段は、前記電界強度が所定の閾値未満の場合、前記所定の表示データを当該電界強度に応じた輝度値で出力すること
を特徴とする地上波デジタル放送受信システム。
【請求項３】
請求項１に記載の地上波デジタル放送受信システムであって、
前記表示制御手段は、前記データ量が所定の閾値未満の場合、前記所定の表示データを当該データ量に応じた輝度値で出力すること
を特徴とする地上波デジタル放送受信システム。
【請求項４】
地上波デジタル放送信号から映像信号および音響信号を復調して出力する地上波デジタル放送受信システムであって、
地上波デジタル放送信号から復調された映像信号をバッファリングして逐次出力する映像バッファ手段と、
所定の表示データを記憶した表示データ記憶手段と、
地上波デジタル放送信号の受信チャンネルの電界強度と、前記映像バッファ手段にバッファリングされている映像信号のデータ量と、を検出する主制御手段と、
前記電界強度、および前記データ量が所定のそれぞれの閾値以上の場合、前記映像バッファ手段から出力された映像信号を出力し、前記前記電界強度、および前記データ量の少なくとも一方が所定のそれぞれの閾値未満の場合、前記映像バッファ手段から出力された映像信号に前記所定の表示データを混合して出力する表示制御手段と、を有すること
を特徴とする地上波デジタル放送受信システム。
【請求項５】
請求項４に記載の地上波デジタル放送受信システムであって、
前記表示制御手段は、前記電界強度が所定の閾値未満の場合、前記映像バッファ手段から出力された映像信号に前記所定の表示データを、当該電界強度に応じた比率で混合して出力すること
を特徴とする地上波デジタル放送受信システム。
【請求項６】
請求項４に記載の地上波デジタル放送受信システムであって、
前記表示制御手段は、前記映像信号のデータ量が所定の閾値未満の場合、前記映像バッファ手段から出力された映像信号に前記所定の表示データを、当該データ量に応じた比率で混合し出力すること
を特徴とする地上波デジタル放送受信システム。
【請求項７】
請求項１乃至６のいずれか一項に記載の地上波デジタル放送受信システムであって、
前記電界強度、および前記データ量が所定のそれぞれの閾値以上の場合、地上波デジタル放送信号から復調された音響信号を出力し、前記電界強度、および前記データ量の少なくとも一方が所定のそれぞれの閾値未満の場合、地上波デジタル放送信号から復調された音響信号に所定の雑音を混合して出力する音響制御手段を、さらに有すること
を特徴とする地上波放送受信システム。
【発明の詳細な説明】
【技術分野】
【０００１】
本発明は、地上波デジタル放送技術に関する。
【背景技術】
【０００２】
特許文献１には、地上波デジタル放送信号のゴースト波および隣接妨害波のレベルを画像表示データに変換して出力するデジタル放送受信機が開示されている。
【０００３】
【特許文献１】特開２００２-１３５８０８号公報
【発明の開示】
【発明が解決しようとする課題】
【０００４】
ところで、地上波デジタル放送対応の車載用テレビ放送受信機は、車両に搭載されて使用されるため、車両の移動に応じて地上波デジタル放送信号の受信環境も変化する。このため、地上波デジタル放送信号の受信環境が悪化し、受信した地上波デジタル信号から映像データ（放送コンテンツ）を復調できなくなることがある。そして、映像データが復調できなくなると、表示装置の映像が突然切れてしまう。このような事態はユーザに受信機の故障が発生したものと誤解させてしまう虞れがある。なお、特許文献１に記載の技術では、ゴースト波および隣接妨害波のレベルを変換して得られた画像表示データを画面に表示させることにより、ユーザがこれらのレベルを知ることができる。しかし、表示装置の映像が不意に途切れると、ユーザはやはり驚いてしまう。
【０００５】
本発明は上記事情に鑑みてなされたものであり、本発明の目的は、ユーザが、地上波デジタル放送受信機から出力される映像が突然切れたと感じるのを防止することにある。
【課題を解決するための手段】
【０００６】
上記課題を解決するために、本発明の第１の態様は、受信した地上波デジタル放送信号の電界強度が所定の閾値より低くなった場合に、当該信号を復調することで得られた映像信号に代えて、または、当該映像信号と共に、所定の表示データを表示装置に出力する。
【０００７】
例えば、本発明の第１の態様は、地上波デジタル放送信号から映像信号および音響信号を復調して出力する地上波デジタル放送受信システムであって、地上波デジタル放送信号から復調された映像信号をバッファリングして逐次出力する映像バッファ手段と、所定の表示データを記憶した表示データ記憶手段と、地上波デジタル放送信号の受信チャンネルの電界強度と、前記映像バッファ手段にバッファリングされている映像信号のデータ量と、を検出する主制御手段と、前記電界強度、および前記データ量が所定のそれぞれの閾値以上の場合、前記映像バッファ手段から出力された映像信号を出力し、前記前記電界強度、および前記データ量の少なくとも一方が所定のそれぞれの閾値未満の場合、前記所定の表示データを出力する表示制御手段と、を有する。
【０００８】
また、本発明の第２の態様は、地上波デジタル放送信号から映像信号および音響信号を復調して出力する地上波デジタル放送受信システムであって、地上波デジタル放送信号から復調された映像信号をバッファリングして逐次出力する映像バッファ手段と、所定の表示データを記憶した表示データ記憶手段と、地上波デジタル放送信号の受信チャンネルの電界強度と、前記映像バッファ手段にバッファリングされている映像信号のデータ量と、を検出する主制御手段と、前記電界強度、および前記データ量が所定のそれぞれの閾値以上の場合、前記映像バッファ手段から出力された映像信号を出力し、前記前記電界強度、および前記データ量の少なくとも一方が所定のそれぞれの閾値未満の場合、前記映像バッファ手段から出力された映像信号に前記所定の表示データを混合して出力する表示制御手段と、を有する。
【０００９】
また、本発明の第３の態様は、前記電界強度、および前記データ量が所定のそれぞれの閾値以上の場合、地上波デジタル放送信号から復調された音響信号を出力し、前記電界強度、および前記データ量の少なくとも一方が所定のそれぞれの閾値未満の場合、地上波デジタル放送信号から復調された音響信号に所定の雑音を混合して出力する音響制御手段を、さらに有する。
【００１０】
ここで、所定の表示データは、地上波デジタル放送の映像が途切れる可能性があることをユーザに示唆する表示データ、例えばアナログ放送受信機において放送信号の受信状態が悪いときに表示装置に出力されるノイズを表すデータとしてもよい。また、所定の表示データを地上波デジタル放送の映像データと共に表示する場合は、例えば表示装置の表示画面内の周辺部分において、所定の表示データを半透明にして地上波デジタル放送の映像データと重畳表示するとよい。
【発明の効果】
【００１１】
本発明によれば、前記の構成により、地上波デジタル放送の映像が途切れる可能性が高まると、当該映像を表示する表示装置に、当該映像が途切れる可能性があることをユーザに示唆する所定の表示データが表示される。これにより、ユーザが、地上波デジタル放送受信機の映像が突然切れたと感じるのを防止することができる。
【発明を実施するための最良の形態】
【００１２】
以下に、本発明の実施の形態を説明する。
【００１３】
図１は、本発明の一実施形態が適用された地上波デジタル放送受信システムの概略図である。図示するように、本実施形態の地上波デジタル放送受信システムは、アンテナ１と、地上波デジタル放送受信機２と、ＡＶコントローラ３と、スピーカ４と、ディスプレイ５と、を有する。
【００１４】
地上波デジタル放送受信機２は、アンテナ１で受信した地上波デジタル信号からデジタル音響信号およびデジタル映像信号を復元し、ＡＶコントローラ３に出力する。図示するように、地上波デジタル放送受信機２は、チューナ２１と、ＯＦＤＭ復調部２２と、ＤＥＭＵＸ（分離部）２３と、音声デコーダ２４と、映像デコーダ２５と、電界強度検出部２６と、を有する。
【００１５】
チューナ２１は、アンテナ１で受信した地上波デジタル放送信号から、図示していない入力装置を介してユーザより指定されたチャンネルを選局する。ＯＦＤＭ（Orthogonal Frequency Division Multiplexing）復調部２２は、チューナ２１で選局されたチャンネルのＯＦＤＭ変調信号をＯＦＤＭ復調してＴＳ（Transport Stream）を出力する。ＤＥＭＵＸ２３は、ＯＦＤＭ復調部２２から出力されたＴＳを放送コンテンツの符号化音響データおよび符号化映像データに分離する。音声デコーダ２４は、ＤＥＭＵＸ２３から出力された符号化音響データをデコードし、デジタル音響信号をＡＶコントローラ３へ出力する。映像デコーダ２５は、ＤＥＭＵＸ２３から出力された符号化映像データをデコードし、デジタル映像信号をＡＶコントローラ５に出力する。そして、電界強度検出部２６は、チューナ２１で選局されたチャンネル（搬送波）の電界強度レベルを検出し、検出値をＡＶコントローラ３に出力する。
【００１６】
ＡＶコントローラ３は、地上波デジタル放送信号の受信状態および復調状態に応じて、地上波デジタル放送受信機３から出力されたデジタル映像信号に所定の表示内容を示すデジタル映像信号を混合し、ディスプレイ５へ出力する。また、該状態に応じて、地上波デジタル放送受信機３から出力されたデジタル音響信号に所定の雑音信号を混合し、スピーカ４へ出力する。図示するように、ＡＶコントローラ３は、映像バッファ３１と、示唆データ記憶部３２と、描画処理部３３と、音響処理部３４と、主制御部３５と、を有する。
【００１７】
映像バッファ３１は、例えばＦＩＦＯ（First In First Out）で構成され、地上波デジタル放送受信機２から出力されたデジタル映像信号をバッファリングし、順次、描画処理部３４へ出力する。示唆データ記憶部３２には、地上波デジタル放送コンテンツの映像が途切れる可能性があることをユーザに示唆する所定の表示データ（示唆データと呼ぶ）が記憶される。本実施形態ではディスプレイ５の表示画面の枠部分にノイズを表示させるための示唆データを示唆データ記憶部３２に記憶している。
【００１８】
描画処理部３３は、主制御部３５の指示に従い、映像バッファ３１から出力されたデジタル映像信号と示唆データ記憶部３２に記憶されている示唆データとを、例えばαブレンディング技術を利用して混合し、ディスプレイ５に出力する。これを受けて、ディスプレイ５はデジタル映像信号をＤ/Ａ変換して表示画面に映像を表示する。なお、ディスプレイ５にＤ/Ａ変換機能が搭載されていない場合などでは、表示コントローラ３にＤ/Ａ変換器を設け、デジタル映像信号をアナログ映像信号にＤ/Ａ変換してからディスプレイ５に出力するようにしてもよい。
【００１９】
音響処理部３４は、主制御部３５の指示に従い、地上波デジタル放送受信機２から出力されたデジタル音響信号に所定の雑音信号を重畳し、スピーカ４に出力する。これを受けて、スピーカ４はデジタル音響信号をＤ/Ａ変換して音声出力する。なお、スピーカ４にＤ/Ａ変換機能が搭載されていない場合などでは、地上波デジタル放送受信機２にＤ/Ａ変換器を設け、デジタル音響信号をアナログ音響信号にＤ/Ａ変換してからスピーカ４に出力するようにしてもよい。
【００２０】
そして、主制御部３４は、映像バッファ３１にバッファリングされているデジタル映像信号のデータ量（バッファリングデータ量）および地上波デジタル放送受信機２から出力された電界強度レベルを監視する。そして、その監視結果に従い、映像バッファ３１から出力されたデジタル映像信号を示唆データと混合することなくディスプレイ５に出力するか、それとも、混合してディスプレイ５に出力するかを決定し、描画処理部３３に指示を出す。同様に、該監視結果に従い、地上波デジタル放送受信機２から出力されたデジタル音響信号に所定の雑音信号を重畳させてスピーカ４に出力するか否かを決定し、音響処理部３４に指示を出す。
【００２１】
図２は、主制御部３４の動作を説明するための図である。
【００２２】
主制御部３５は、地上波デジタル放送受信機２から出力されている電界強度レベルおよび映像バッファ３１のバッファリングデータ量を監視する。そして、電界強度レベルが閾値Ｔ１より低い場合（Ｓ１０１でＹＥＳ）、あるいは、バッファリングデータ量が閾値Ｔ２より小さい場合（Ｓ１０２でＹＥＳ）は、描画処理部３３に混合指示を出力すると共に、音響処理部３４に雑音重畳指示を出力する。また、図示していないメモリ等に登録している前回出力指示を、混合指示・雑音重畳指示に更新する（Ｓ１０４）。ここで、閾値Ｔ１は、地上波デジタル放送信号の受信状態が悪く、このため、受信した地上波デジタル放送信号から放送コンテンツを復調できなくなる可能性が高くなると思われる地上波デジタル放送信号の電界強度レベルに設定する。この電界強度レベルは、理論値や実験値に基づいて推定することができる。また、閾値Ｔ２は、映像バッファ３１が空になってディスプレイ５に出力するデジタル映像信号が途切れる可能性が高くなると思われるバッファリングデータ量（例えば映像バッファ３１の容量の半分）に設定する。
【００２３】
さて、描画処理部３３は、主制御部３５から混合指示を受け取ると、所定の比率（割合）で映像バッファ３１から出力されたデジタル映像信号と示唆データ記憶部３２に記憶されている示唆データとを混合し、ディスプレイ５に出力する。これを受けて、ディスプレイ５は、図３に示すように、表示画面５０１の枠部分５０２に所定の比率でノイズが混合された地上波デジタル放送コンテンツの映像を表示する。この混合処理は、主制御部３５から混合中止指示を受付けるまで継続実施される。同様に、音響処理部３４は、主制御部３５から雑音重畳指示を受け取ると、地上波デジタル放送受信機２から出力されたデジタル音響信号に所定の雑音信号を重畳させてスピーカ４に出力する。これを受けて、スピーカ４は、雑音が混合された地上波デジタル放送コンテンツの音響を出力する。この重畳処理も、主制御部３５から雑音重畳中止指示を受付けるまで継続実施される。
【００２４】
また、主制御部３５は、地上波デジタル放送受信機２から出力されている電界強度レベルが閾値Ｔ１以上であって、且つ、映像バッファ３１のバッファリングデータ量が閾値Ｔ２以上の場合（Ｓ１０１、１０２で共にＮＯ）は、図示してないメモリ等に登録されている前回出力指示が混合指示・雑音重畳指示であるか否かを調べる（Ｓ１０３）。そして、前回出力指示が混合指示・雑音重畳指示である場合（Ｓ１０３でＹＥＳ）、描画処理部３３に混合中止指示を出力すると共に、音響処理部３４に雑音重畳中止指示を出力する。また、図示していないメモリ等に登録している前回出力指示を、混合中止指示・雑音重畳中止指示に更新する（Ｓ１０５）。一方、前回出力指示が混合指示・雑音重畳指示でない場合、つまり、前回出力指示が混合中止指示・雑音重畳中止指示である場合（Ｓ１０３でＮＯ）、主制御部３５は、描画処理部３３および音響処理部３４に指示を出力することなく、Ｓ１０１に戻る。
【００２５】
さて、描画処理部３３は、主制御部３５から混合中止指示を受け取ると、映像バッファ３１から出力されたデジタル映像信号を、示唆データ記憶部３２に記憶されている示唆データと混合することなく、ディスプレイ５に出力する。これを受けて、ディスプレイ５は、図４に示すように、表示画面５０１に意図的にノイズが混合されていない地上波デジタル放送コンテンツの映像を表示する。同様に、音響処理部３４は、主制御部３５から雑音重畳中止指示を受け取ると、地上波デジタル放送受信機２から出力されたデジタル音響信号を、所定の雑音信号を重畳させることなく、スピーカ４に出力する。これを受けて、スピーカ４は、意図的に雑音が混合されていない地上波デジタル放送コンテンツの音響を出力する。
【００２６】
以上、本発明の一実施形態を説明した。
【００２７】
ＡＶコントローラ３は、地上波デジタル放送コンテンツの映像が途切れる可能性が高まると、当該映像が途切れる可能性があることを示唆する示唆データを当該映像に重畳する。また、地上波デジタル放送コンテンツの音響データに雑音を重畳する。これにより、ユーザが、地上波デジタル放送コンテンツの映像が突然切れたと感じるのを防止できる。
【００２８】
なお、本発明は上記の実施形態に限定されるものではなく、その要旨の範囲内で数々の変形が可能である。
【００２９】
例えば、上記の実施形態では、示唆データ記憶部３２に記憶する示唆データを、図３に示すように、ディスプレイ５の表示画面の枠部分にノイズを表示させるための表示データとしている。しかし、本発明はこれに限定されない。例えば図５に示すように、ディスプレイ５の表示画面の全面にノイズを表示させるための表示データを示唆データとして用いてもよい。
【００３０】
また、上記の実施形態において、主制御部３５が描画処理部３３に出力する混合指示に、映像バッファ３１から出力されたデジタル映像信号と示唆データ記憶部３２に記憶されている示唆示データとの混合比（割合）の指定を含めるようにし、描画処理部３３に、主制御部３５から受け取った混合指示で指定されている比率で映像バッファ３１から出力されたデジタル映像信号と示唆データ記憶部３２に記憶されている示唆示データとを混合させ、ディスプレイ５に出力させるようにしてもよい。ここで、混合比は、地上波デジタル放送受信機２から出力されている電界強度レベルが低くなるほど（Ｓ１０１でＹＥＳの場合）、あるいは、映像バッファ３１のバッファリングデータ量が小さくなるほど（Ｓ１０２でＹＥＳの場合）、示唆データの割合が大きくなるようにする。
【００３１】
また、同様に、主制御部３５が音響処理部３４に出力する雑音重畳指示に、雑音レベルの指定を含めるようにし、描画処理部３３に、主制御部３５から受け取った雑音重畳指示で指定されている雑音レベルの雑音を、地上波デジタル放送受信機２から出力されたデジタル音響信号に重畳させ、スピーカ４に出力させるようにしてもよい。ここで、雑音レベルは、地上波デジタル放送受信機２から出力されている電界強度レベルが低くなるほど（Ｓ１０１でＹＥＳの場合）、あるいは、映像バッファ３１のバッファリングデータ量が小さくなるほど（Ｓ１０２でＹＥＳの場合）、大きくなるようにする。
【００３２】
また、上記の実施形態において、主制御部３５が地上波デジタル放送受信機２から出力されている電界強度レベルを示す表示データ、あるいは、映像バッファ３１のバッファリングデータ量を示す表示データを生成して、描画処理部３３に出力し、描画処理部３３に、この表示データが示す電界強度レベルあるいはバッファリングデータ量が、ディスプレイ５の表示画面の一部（例えば片隅）に重畳表示されるように、デジタル映像信号に重畳させてもよい。図６は、ディスプレイ５の表示画面５０１の右下にて、電界強度レベルを表すメータ５０３が地上波デジタル放送コンテンツの映像に重畳されている例である。
【００３３】
また、上記の実施形態において、主制御部３５が、混合指示に代えて示唆データ出力指示を描画処理部３３に出力するようにしてもよい。そして、描画処理部３３は、主制御部３５から示唆データ出力指示を受付けた場合、映像バッファ３１に記憶されているデジタル映像信号に代えて、示唆データ記憶部３２に記憶されている示唆データを出力し続けるように、出力を切替えてもよい。この場合、描画処理部３３に、地上波デジタル放送受信機２から出力されている電界強度レベルが低くなるほど（Ｓ１０１でＹＥＳの場合）、あるいは、映像バッファ３１のバッファリングデータ量が小さくなるほど（Ｓ１０２でＹＥＳの場合）、示唆データの輝度値を低くするようにしてもよい。また、主制御部３５が、映像バッファ３１にバッファリングされているデジタル映像信号を示唆データ記憶部３２にコピーし、これが示唆データとして利用されるようにしてもよい。この場合、示唆データとして利用するデジタル映像信号に、映像がモノトーンとなるように色信号を変更するなどの所定のエフェクト処理を施してもよい。
【００３４】
また、上記の実施形態では、主制御部３５が、地上波デジタル放送受信機２から出力されている電界強度レベルおよび映像バッファ３１のバッファリングデータ量の両方を監視している。しかし、本発明は電界強度レベルおよびバッファリングデータ量の少なくとも一方を監視できるものであればよい。
【００３５】
また、上記の実施形態において、地上波デジタル放送受信機２とＡＶコントローラ３とは一つの筐体に収められているものであってもよい。また、上記の実施形態を車載に搭載する場合、ＡＶコントローラ３は、例えばナビゲーション装置に組み込まれているものであってもよい。
【図面の簡単な説明】
【００３６】
【図１】図１は本発明の一実施形態が適用された地上波デジタル放送受信システムの概略図である。
【図２】図２は主制御部３４の動作を説明するための図である。
【図３】図３はディスプレイ５の表示例を示す図である。
【図４】図４はディスプレイ５の表示例を示す図である。
【図５】図５はディスプレイ５の表示例を示す図である。
【図６】図６はディスプレイ５の表示例を示す図である。
【符号の説明】
【００３７】
１…アンテナ、２…地上波デジタル放送送信機、３…ＡＶコントローラ、４…スピーカ、５…ディスプレイ、２１…チューナ、２２…ＯＤＦＭ復調部、２３…ＤＥＭＵＸ、２４…音声デコーダ、２５…映像デコーダ、２６…電界強度検出部、３１…映像バッファ、３２…表示データ記憶部、３３…描画処理部、３４…音響処理部
【図１】
0004674049.tif 000002
【図２】
0004674049.tif 000003
【図３】
0004674049.tif 000004
【図４】
0004674049.tif 000005
【図５】
0004674049.tif 000006
【図６】
0004674049.tif 000007